(57)【特許請求の範囲】
【請求項１】
反射型直線偏光板と、
前記反射型直線偏光板を透過した直線偏光を円偏光に変換するλ／４板と、を有し、
前記λ／４板の波長６６０ｎｍにおける面内レターデーションが１６５±４０ｎｍである植物成長用積層フィルム。
【請求項２】
前記λ／４板は、順分散波長依存性を示す請求項１に記載の植物成長用積層フィルム。
【請求項３】
前記反射型直線偏光板の波長６６０ｎｍにおける反射効率が、波長４５０ｎｍにおける反射効率よりも高い、請求項１又は２に記載の植物成長用積層フィルム。
【請求項４】
請求項１〜３のいずれか一項に記載の植物成長用積層フィルムと、
発光光源と、を有する植物成長用照明装置。
【請求項５】
前記植物成長用照明装置の出射光の、波長４５０ｎｍにおける円偏光度が、波長６６０ｎｍにおける円偏光度よりも低い請求項４に記載の植物成長用照明装置。
【発明の詳細な説明】
【技術分野】
【０００１】
本発明は、植物成長用積層フィルム及び植物成長用照明装置に関する。
【背景技術】
【０００２】
内部環境をコントロールした閉鎖的又は半閉鎖的な空間で植物を計画的に生産するシステムである植物工場では、従来より、温度、肥料、光照射時間、及び、照度等を調整することによって成長制御が行われている。
近年、このような植物工場において、光質を制御することによる植物の育成促進方法が報告されている。【０００３】
ここで、植物の成長は、赤色の円偏光によって促進されることが知られている。
植物は、様々な光吸収化合物を有しており、植物の成長または有用物化合物の生成の源となっている。光吸収化合物は、キラリティを有しており、右円偏光と左円偏光とで吸収の違いがある円偏光二色性を有しているものが多い。したがって、吸収の良い円偏光を照射することで植物の成長を促進することができる。
例えば、クロロフィルの場合には、６６０ｎｍ付近に吸収ピークがある。したがって、６６０ｎｍ付近の円偏光を照射することで成長を促進できる。
そのため、偏光照射により植物の成長を促進することができる照明装置が提案されている。【０００４】
例えば、特許文献１には、発光光源と、発光光源からの入射光の一方の偏光成分を透過し、他方の偏光成分を反射する反射型偏光板と、反射型偏光板から反射した光の偏光状態を変化させて反射型偏光板に再度照射させる再照射手段と、反射型偏光板を透過した光を円偏光に変換させる円偏光変換手段とを有する照明装置が記載されている。
また、特許文献２には、対象物に特定の円偏光を選択的に照射するためのシステムであって、光の偏光状態を制御して円偏光を生じさせる偏光状態制御部材と、円偏光反射部材とを含み、円偏光反射部材は、偏光状態制御部材から出射する円偏光が入射できる位置に配置されており、円偏光反射部材は、入射した偏光状態制御部材からの円偏光と同一のセンスの円偏光を選択的に含む反射光を生じさせ、円偏光反射部材は、反射光の少なくとも一部を対象物に照射できるように配置されているシステムが記載されている。
また、特許文献３には、植物栽培用の照明装置であって、３００ｎｍ以上６００ｎｍ以下のいずれかの波長域の光を、右円偏光成分を優勢に含む波長域の光に変更する手段を含む照明装置が記載されている。【０００５】
これら特許文献１〜３には、光源の光を円偏光に変換する部材として、直線偏光板とλ／４板を用いることが記載されている。
【先行技術文献】
【特許文献】
【０００６】
【特許文献１】特開２０１２−２２３１６３号公報
【特許文献２】特開２０１３−２４３９７１号公報
【特許文献３】特開２０１４−００００４９号公報
【発明の概要】
【発明が解決しようとする課題】
【０００７】
しかしながら、赤色光のみを照射すると葉の形などの形態に悪影響を与える場合がある。
植物の成長には、赤色以外の波長の光がないと、形態がくずれるなどするため、赤色光だけで育てるのは好ましくない。そのため、他の波長、例えば、４６０ｎｍ付近の青色光を加えて照射するのが好ましい。したがって、光源から照射される光は、広範囲な波長で照射される。しかしながら、このような広い発光波長帯域にわたって円偏光効率を高めるのは困難である。そのため、従来は、偏光板の反射効率が最も高い波長、及び／または、λ／４板の円偏光率の最も高い波長を、光源の発光波長帯域の中心付近（例えば、５５０ｎｍ付近）とすることで、発光波長帯域全域での円偏光効率を確保しているが十分ではなかった。【０００８】
本発明は、上記実情に鑑みて、植物の成長に利用される円偏光をより効率よく得られる植物成長用積層フィルム及び植物成長用照明装置を提供することを課題とする。
【課題を解決するための手段】
【０００９】
本発明者らは、従来技術の問題点について鋭意検討した結果、入射光の第１の直線偏光成分を透過し、第１の直線偏光成分と直交する第２の直線偏光成分を反射する反射型直線偏光板と、反射型直線偏光板を透過した直線偏光を円偏光に変換するλ／４板と、を有し、λ／４板の波長６６０ｎｍにおける面内レターデーションが１６５±４０ｎｍであることにより、上記課題を解決できることを見出した。
すなわち、以下の構成により上記目的を達成することができることを見出した。【００１０】
（１）  反射型直線偏光板と、
反射型直線偏光板を透過した直線偏光を円偏光に変換するλ／４板と、を有し、
λ／４板の波長６６０ｎｍにおける面内レターデーションが１６５±４０ｎｍである植物成長用積層フィルム。
（２）  λ／４板は、順分散波長依存性を示す（１）に記載の植物成長用積層フィルム。
（３）  反射型直線偏光板の波長６６０ｎｍにおける反射効率が、波長４５０ｎｍにおける反射効率よりも高い、（１）又は（２）に記載の植物成長用積層フィルム。
（４）  （１）〜（３）のいずれかに記載の植物成長用積層フィルムと、
発光光源と、を有する植物成長用照明装置。
（５）  植物成長用照明装置の出射光の、波長４５０ｎｍにおける円偏光度が、波長６６０ｎｍにおける円偏光度よりも低い（４）に記載の植物成長用照明装置。
【発明の効果】
【００１１】
本発明によれば、植物の成長に利用される円偏光をより効率よく得られる植物成長用積層フィルム及び植物成長用照明装置を提供することができる。
【図面の簡単な説明】
【００１２】
【図１】本発明の植物成長用積層フィルムの一例を概念的に示す断面図である。
【図２】本発明の植物成長用照明装置の一例を概念的に示す断面図である。
【発明を実施するための形態】
【００１３】
以下、本発明の植物成長用積層フィルム及び植物成長用照明装置について詳細に説明する。なお、本明細書において「〜」を用いて表される数値範囲は、「〜」の前後に記載される数値を下限値及び上限値として含む範囲を意味する。
また、本明細書において、「直交」及び「平行」とは、本発明が属する技術分野において許容される誤差の範囲を含むものとする。例えば、「直交」及び「平行」とは、厳密な直交あるいは平行に対して±１０°未満の範囲内であることなどを意味し、厳密な直交あるいは平行に対しての誤差は、５°以下であることが好ましく、３°以下であることがより好ましい。
また、「直交」及び「平行」以外で表される角度、例えば、１５°や４５°等の具体的な角度についても、本発明が属する技術分野において許容される誤差の範囲を含むものとする。例えば、本発明においては、角度は、具体的に示された厳密な角度に対して、±５°未満であることなどを意味し、示された厳密な角度に対する誤差は、±３°以下であるのが好ましく、±１°以下であるのが好ましい。
【００１４】
可視光は電磁波のうち、ヒトの目で見える波長の光であり、３８０ｎｍ〜７８０ｎｍの波長域の光を示す。非可視光は、３８０ｎｍ未満の波長域または７８０ｎｍを超える波長域の光である。
またこれに限定されるものではないが、可視光のうち、４２０ｎｍ〜４９０ｎｍの波長域の光は、青色光であり、４９５ｎｍ〜５７０ｎｍの波長域の光は、緑色光であり、６２０ｎｍ〜７５０ｎｍの波長域の光は、赤色光である。
赤外光のうち、近赤外光は７８０ｎｍ〜２５００ｎｍの波長域の電磁波である。紫外光は波長１０〜３８０ｎｍの範囲の光である。
【００１５】
本明細書において、Ｒｅ（λ）、Ｒｔｈ（λ）は、各々、波長λにおける面内のレターデーション、及び、厚さ方向のレターデーションを表す。特に記載がないときは、波長λは、５５０ｎｍとする。
本明細書において、Ｒｅ（λ）、Ｒｔｈ（λ）は、ＡｘｏＳｃａｎ  ＯＰＭＦ−１（オプトサイエンス社製）において、波長λで測定した値である。ＡｘｏＳｃａｎにて平均屈折率（（Ｎｘ＋Ｎｙ＋Ｎｚ）／３）と膜厚（ｄ（μｍ））を入力することにより、
遅相軸方向（°）
Ｒｅ（λ）＝Ｒ０（λ）
Ｒｔｈ（λ）＝（（Ｎｘ＋Ｎｙ）／２−Ｎｚ）×ｄ
が算出される。
なお、Ｒ０（λ）は、ＡｘｏＳｃａｎで算出される数値として表示されるものであるが、Ｒｅ（λ）を意味している。
【００１６】
本明細書において、屈折率Ｎｘ、Ｎｙ、及び、Ｎｚは、アッベ屈折計（ＮＡＲ−４Ｔ、アタゴ（株）製）を使用し、光源にナトリウムランプ（λ＝５８９ｎｍ）を用いて測定する。また、波長依存性を測定する場合は、多波長アッベ屈折計ＤＲ−Ｍ２（アタゴ（株）製）にて、干渉フィルタとの組み合わせで測定できる。
また、ポリマーハンドブック（ＪＯＨＮ  ＷＩＬＥＹ＆ＳＯＮＳ，ＩＮＣ）、各種光学フィルムのカタログの値を使用することもできる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。
【００１７】
本発明の植物成長用積層フィルムは、
反射型直線偏光板と、
反射型直線偏光板を透過した直線偏光を円偏光に変換するλ／４板と、を有し、
λ／４板は、λ／４板の波長６６０ｎｍにおける面内レターデーションが１６５±４０ｎｍである植物成長用積層フィルムである。
また、本発明の植物成長用照明装置は、上記植物成長用積層フィルムと発光光源とを有する。
【００１８】
＜植物成長用積層フィルム＞
以下に、本発明の植物成長用積層フィルムの好適な実施態様の一例について図面を参照して説明する。
図１に、本発明の植物成長用積層フィルムの一例の概略断面図を示す。
なお、本発明における図は模式図であり、各層の厚みの関係及び位置関係などは必ずしも実際のものとは一致しない。以下の図も同様である。
図１に示すように、植物成長用積層フィルム（以下、成長用フィルムともいう）１０は、反射型直線偏光板１２と、λ／４板１４とを有する。
なお、成長用フィルム１０は、他の各種の機能層を有していてもよい。例えば、層同士を貼り合わせるための粘着層を有していてもよい。
【００１９】
成長用フィルム１０は、反射型直線偏光板１２と、λ／４板１４とを有することで、反射型直線偏光板１２側から入射する光に対して、反射型直線偏光板１２が入射光の第１の直線偏光成分を透過し、第１の直線偏光成分と直交する第２の直線偏光成分を反射し、λ／４板１４が、反射型直線偏光板１２を透過した第１の直線偏光成分を円偏光に変換するものである。
【００２０】
＜植物成長用照明装置＞
次に、本発明の植物成長用照明装置の好適な実施態様の一例について図面を参照して説明する。
図２に、本発明の植物成長用照明装置の一例の概略断面図を示す。
図２に示すように、植物成長用照明装置（以下、照明装置ともいう）２０は、椀状（中空の半球状）の筐体２２と、筐体２２の内側の表面に配置される反射部材２４と、筐体２２の内側に配置される発光光源２６と、筐体２２の開口部に配置される成長用フィルム１０とを有する。
また、成長用フィルム１０は、反射型直線偏光板１２側を発光光源２６側に向けて配置される。
また、発光光源２６は、筐体２２内部の底部に、発光面を筐体２２の開口部に向けて配置される。
【００２１】
このような構成を有する照明装置２０においては、発光光源２６が所定の波長域の光を発し、発光光源２６から出射された光が、直接または反射部材２４で反射されて成長用フィルム１０に入射する。
前述のとおり、成長用フィルム１０は、反射型直線偏光板１２により入射光の第１の直線偏光成分を透過し、第１の直線偏光成分と直交する第２の直線偏光成分を反射し、λ／４板１４により、反射型直線偏光板１２を透過した第１の直線偏光成分を円偏光に変換して出射する。
また、反射型直線偏光板１２により反射された第２の直線偏光成分は、反射部材２４で反射されて再度、反射型直線偏光板１２に入射する。その際、第２の直線偏光成分は、反射部材２４で反射されることで偏光状態が変化する。そのため、成長用フィルム１０は、反射部材２４で反射されて再入射した光の一部も円偏光に変換して出射する。すなわち、反射型直線偏光板１２により反射された他方の直線偏光成分も、反射部材２４で反射することで再利用して利用効率をより高くできる。
【００２２】
ここで、本発明の成長用フィルム１０においては、λ／４板１４は、波長６６０ｎｍにおける面内レターデーションが１６５±４０ｎｍである。これにより、照明装置２０からの出射光の円偏光度を高くすることができる。
【００２３】
なお、光の右円偏光成分の強度をＩＲ、左円偏光成分の強度をＩＬとしたとき、｜ＩＲ−ＩＬ｜／（ＩＲ＋ＩＬ）を円偏光度と定義する。
光の偏光状態は、右円偏光と左円偏光の和によって表すことができる。例えば、左右の円偏光成分の強度が等しい場合には、その和は直線偏光となり、左右円偏光の位相差によって決まる方位でその電気ベクトルは振動する。右円偏光成分と左円偏光成分の強度が異なる場合には楕円偏光になり、いずれかの成分のみの場合には完全な円偏光となる。
また、円偏光のセンスは、光が手前に向かって進んでくるように眺めた場合に電場ベクトルの先端が時間の増加に従って時計回りに回る場合が右偏光であり、反時計回りに回る場合が左偏光である。
また、λ／４板の円偏光への変換効率（以下、円偏光効率ともいう）とは、ある波長の直線偏光をλ／４板に入射した際の出射光の円偏光度と定義する。
したがって、出射光が右円偏光成分１００％、あるいは、左円偏光成分１００％の場合には、出射光の円偏光度が１００％であり、λ／４板の円偏光効率も１００％である。一方、出射光が右円偏光成分５０％で左円偏光成分５０％の場合には、出射光の円偏光度は、０％であり、λ／４板の円偏光効率も０％である。
【００２４】
一般に、λ／４板等の波長板では、複屈折光の位相差が波長ごとに異なり、λ／４板として機能しうる波長が特定のものに限られる。すなわち、例えば、波長が５５０ｎｍの光に対してλ／４板として機能するものの場合、波長が４５０ｎｍ及び６６０ｎｍの光に対しては完全なλ／４板として機能せず、出射光は楕円偏光となる。言い換えると、波長５５０ｎｍの光に対して円偏光効率が最も高いものとした場合には、波長が４５０ｎｍ及び６６０ｎｍの光に対しては、円偏光効率が低くなる。
【００２５】
ここで、前述のとおり、植物の成長は、赤色の円偏光（例えば、波長６６０ｎｍの円偏光）によって促進されるが、赤色光のみを照射すると葉の形などの形態に悪影響を与える場合がある。そのため、他の波長、例えば、４６０ｎｍ付近の青色光を加えて照射するのが好ましい。したがって、光源から照射される光は、広範囲な波長で照射される。しかしながら、このような広い発光波長帯域にわたって円偏光効率を高めるのは困難である。そのため、従来は、λ／４板の効率のピーク波長（すなわち、円偏光効率が最も高くなる波長）を、光源の発光波長帯域の中心付近、例えば、５５０ｎｍとすることで、発光波長帯域全域での円偏光効率を確保しているが、十分ではなかった。
【００２６】
これに対して、本発明においては、λ／４板の波長６６０ｎｍにおける面内レターデーションが１６５±４０ｎｍであるので、λ／４板の円偏光効率を６６０ｎｍ付近で最も高くすることができ、これにより、照明装置の出射光の赤色の円偏光の割合をより多くすることができ、植物の成長に利用される円偏光をより効率よく得ることができる。
【００２７】
なお、光源から出射された光の各波長の偏光状態は、円偏光板を装着した分光放射輝度計又はスペクトルメータを用いて測定することができる。この場合、右円偏光板を通して測定した光の強度がＩＲ、左円偏光板を通して測定した光の強度がＩＬに相当する。また、白熱電球、水銀灯、蛍光灯、ＬＥＤ（light emitting diode）等の通常光源は、ほぼ自然光を発しているが、これらの光源から出射され成長用フィルムを通過して得られた光の特性（偏光の状態）は、例えば、ＡＸＯＭＥＴＲＩＣＳ社製の偏光位相差解析装置ＡｘｏＳｃａｎなどを用いて測定することができる。
【００２８】
ここで、λ／４板１４の波長６６０ｎｍにおける面内レターデーションは、１６５±４０ｎｍであるのが好ましく、１６５±３０ｎｍであるのがより好ましく、１６５±２０ｎｍであるのがさらに好ましく、１６５±１０ｎｍが特に好ましい。
この範囲とすることで、λ／４板１４に対して斜め方向から光が入射した場合、例えば、λ／４板１４の主面に対する垂線に２０°〜４０°の方向から光が入射した場合に、斜め方向から入射する光に関して、波長６６０ｎｍ付近で円偏光効率が最も高くなり好ましい。
【００２９】
また、照明装置の出射光の、波長４５０ｎｍにおける円偏光度が、波長６６０ｎｍにおける円偏光度よりも低いことが好ましい。
【００３０】
また、λ／４板１４は、順分散波長依存性を示しても、逆分散波長依存性を示してもよいが、順分散波長依存性を示すことが好ましい。
λ／４板１４が順分散波長依存性を示し、波長６６０ｎｍでの円偏光効率が最も高くなる構成とした場合には、波長４５０ｎｍ付近の領域では波長６６０ｎｍでの円偏光のセンスとは逆のセンスの円偏光成分が多く含まれる。
【００３１】
＜反射型直線偏光板＞
反射型直線偏光板１２は、入射光の第１の直線偏光成分を透過し、第１の直線偏光成分と直交する第２の直線偏光成分を反射する手段である。
【００３２】
反射型直線偏光板としては、特に制限はなく、目的に応じて適宜選択することができ、例えば、（１）全反射型偏光子、（２）複屈折の異なる薄膜を積層した偏光子、（３）ワイヤーグリッド型偏光子、（４）薄膜型偏光子、（５）複屈折型偏光子などが挙げられる。これらの中でも、（２）複屈折の異なる薄膜を積層した偏光子、（３）ワイヤーグリッド型偏光子が、円偏光照明装置の大きさを小さくできる点で特に好ましい。
【００３３】
また、反射型直線偏光板は、波長４５０ｎｍの光に対する反射効率よりも波長６６０ｎｍの光に対する反射効率が高いのが好ましい。
これにより、赤色光の偏光状態をより高い精度で選別することができ、赤色光の円偏光への変換効率をより高くすることができる。
ここで、反射型直線偏光板の反射効率とは、『（第１の直線偏光成分の強度−第２の直線偏光成分の強度）／全光の強度』である。
【００３４】
−（１）全反射型偏光子−
全反射型偏光子は、光学軸を持つ結晶（屈折率の軸特性）を組み合わせて作製することで入射偏光方向によって全反射を起こすことにより偏光方向を決定する偏光子であり、非常に高い偏光特性を示す。
全反射型偏光子としては、例えば、グラントムソンプリズム、グランテーラープリズムなどが挙げられる。
グラントムソンプリズムは、方解石製の偏光プリズムで、非偏光のビームを入射すると直線偏光が得られる偏光子である。
グランテーラープリズムは、方解石製の偏光プリズムで、非偏光のビームを入射すると直線偏光が得られる偏光子であり、短波長において良好な透過率を示す。
【００３５】
−（２）複屈折の異なる薄膜を積層した偏光子−
複屈折の異なる薄膜を積層した偏光子としては、例えば、特表平９−５０６８３７号公報などに記載されたものを用いることができる。
具体的には、屈折率関係を得るために選ばれた条件下で加工すると、広く様々な材料を用いて、偏光子を形成できる。一般に、第一の材料の一つが、選ばれた方向において、第二の材料とは異なる屈折率を有することが必要である。この屈折率の違いは、フィルムの形成中、又はフィルムの形成後の延伸、押出成形、或いはコーティングを含む様々な方法で達成できる。更に、２つの材料が同時押出することができるように、類似のレオロジー特性（例えば、溶融粘度）を有することが好ましい。
好ましい組み合わせとしては、第一の材料として結晶性又は半結晶性有機ポリマー、第二の材料として有機ポリマーが挙げられる。第二の材料は、結晶性、半結晶性、もしくは非晶質であってよく、又は第一の材料とは逆の複屈折を有していてもよい。
好ましい材料の具体例としては、ポリエチレンナフタレート（ＰＥＮ）又はその異性体（例えば、２,６−、１,４−、１,５−、２,７−、又は２,３−ＰＥＮ）、ポリアルキレンテレフタレート（例えば、ポリエチレンテレフタレート、ポリブチレンテレフタレート、又はポリ−１,４−シクロヘキサンジメチレンテレフタレート）、ポリイミド（例えば、ポリアクリルイミド）、ポリエーテルイミド、アタクチックポリスチレン、ポリカーボネート、ポリメタクリレート（例えば、ポリイソブチルメタクリレート、ポリプロピルメタクリレート、ポリエチルメタクリレート、又はポリメチルメタクリレート）、ポリアクリレート（例えば、ポリブチルアクリレート、又はポリメチルアクリレート）、セルロース誘導体（例えば、エチルセルロース、アセチルセルロース、セルロースプロピオネート、アセチルセルロースブチレート、又は硝酸セルロース）、ポリアルキレンポリマー（例えば、ポリエチレン、ポリプロピレン、ポリブチレン、ポリイソブチレン、又はポリ（４-メチル）ペンテン）、フッ素化ポリマー（例えば、パーフルオロアルコキシ樹脂、ポリテトラフルオロエチレン、フッ素化エチレンプロピレンコポリマー、ポリフッ化ビニリデン、又はポリクロロトリフルオロエチレン）、塩素化ポリマー（例えば、ポリ塩化ビニリデン、又はポリ塩化ビニル）、ポリスルホン、ポリエーテルスルホン、ポリアクリロニトリル、ポリアミド、シリコーン樹脂、エポキシ樹脂、ポリ酢酸ビニル、ポリエーテルアミド、アイオノマー樹脂、エラストマー（例えば、ポリブタジエン、ポリイソプレン、又はネオプレン）、ポリウレタンなどが挙げられる。
コポリマーとしては、例えば、ＰＥＮのコポリマー［例えば、（ａ）テレフタル酸又はそのエステル、（ｂ）イソフタル酸又はそのエステル、（ｃ）フタル酸又はそのエステル、（ｄ）アルカングリコール、（ｅ）シクロアルカングリコール（例えば、シクロヘキサンジメタノールジオール）、（ｆ）アルカンジカルボン酸、及び／又は（ｇ）シクロアルカンジカルボン酸（例えば、シクロヘキサンジカルボン酸）と２,６−、１,４−、１,５−、２,７−、及び／又は２,３−ナフタレンジカルボン酸又はそれらのエステルとのコポリマー］、ポリアルキレンテレフタレートのコポリマー［例えば、（ａ）ナフタレンジカルボン酸又はそのエステル、（ｂ）イソフタル酸又はそのエステル、（ｃ）フタル酸又はそのエステル、（ｄ）アルカングリコール、（ｅ）シクロアルカングリコール（例えば、シクロヘキサンジメタノールジオール）、（ｆ）アルカンジカルボン酸、及び／又は（ｇ）シクロアルカンジカルボン酸（例えば、シクロヘキサンジカルボン酸）と、テレフタル酸又はそのエステルとのコポリマー］、並びにスチレンコポリマー（例えば、スチレン−ブタジエンコポリマー、又はスチレン−アクリロニトリルコポリマー）、４,４−ビ安息香酸、エチレングリコール、或いは各層はそれぞれ、２種又はそれ以上の上記のポリマー又はコポリマーのブレンド（例えば、ＳＰＳとアタクチックポリスチレンとのブレンド）を包含してよい。
偏光子の場合、特に好ましい層の組み合わせとしては、ＰＥＮ／ｃｏ−ＰＥＮ、ポリエチレンテレフタレート（ＰＥＴ）／コ−ＰＥＮ、ＰＥＮ／ＳＰＳ、ＰＥＴ／ＳＰＳ、ＰＥＮ／イーストエアー(Ｅａｓｔａｉｒ)、ＰＥＴ／イーストエアーが挙げられる。
ここで、「ｃｏ−ＰＥＮ」とは、ナフタレンジカルボン酸をベースとするコポリマー又はブレンドを意味する。「イーストエアー」は、イーストマン・ケミカル・カンパニーから市販されているポリシクロヘキサンジメチレンテレフタレートである。
積層数は、経済上の理由から、最小の積層数を用いて所望の光学特性を達成できれば特に制限はなく、目的に応じて適宜選択することができるが、偏光子の場合には、１０,０００以下が好ましく、５,０００以下がより好ましく、２,０００以下が更に好ましい。
複屈折の異なる薄膜を積層した偏光子としては、市販品を用いることができ、市販品としては、例えば、３Ｍ社製の商品名：ＤＢＥＦなどが挙げられる。
【００３６】
−（３）ワイヤーグリッド型偏光子−
ワイヤーグリッド型偏光子は、金属細線の複屈折によって、偏光の一方を透過し、他方を反射させる偏光子である。
ワイヤーグリッド偏光子は、金属ワイヤーを周期的に配列したもので、テラヘルツ波帯域で主に偏光子として用いられる。ワイヤーグリッドが偏光子として機能するためには、ワイヤー間隔が入射電磁波の波長よりも十分小さいことが必要となる。
ワイヤーグリッド偏光子では、金属ワイヤーが等間隔に配列されている。金属ワイヤーの長手方向と平行な偏光方向の偏光成分はワイヤーグリッド偏光子において反射され、垂直な偏光方向の偏光成分はワイヤーグリッド偏光子を透過する。
ワイヤーグリッド型偏光子としては、市販品を用いることができ、市販品としては、例えば、エドモンドオプティクス社製のワイヤーグリッド偏光フィルタ５０×５０、ＮＴ４６−６３６などが挙げられる。
【００３７】
−（４）薄膜型偏光子−
薄型偏光子は、誘電体薄膜の反射率の入射角度依存性（ブリュースター角）によるものであり、対パワー性が高く大きい面積のものが製造でき、ハイパワーレーザ装置などに用いられる。
薄型偏光子は、互いに屈折率の異なる誘電体薄膜を複数層積層してなるものが挙げられる。積層数は、２層〜２０層が好ましく、２層〜１２層がより好ましい。
高屈折率の誘電体薄膜の材料としては、例えば、Ｓｂ２Ｏ３、Ｓｂ２Ｓ３、Ｂｉ２Ｏ３、ＣｅＯ２、ＣｅＦ３、ＨｆＯ２、Ｌａ２Ｏ３、Ｎｄ２Ｏ３、Ｐｒ６Ｏ１１、Ｓｃ２Ｏ３、ＳｉＯ、Ｔａ２Ｏ５、ＴｉＯ２、ＴｌＣｌ、Ｙ２Ｏ３、ＺｎＳｅ、ＺｎＳ、ＺｒＯ２、などが挙げられる。これらの中でも、Ｂｉ２Ｏ３、ＣｅＯ２、ＣｅＦ３、ＨｆＯ２、ＳｉＯ、Ｔａ２Ｏ５、ＴｉＯ２、Ｙ２Ｏ３、ＺｎＳｅ、ＺｎＳ、ＺｒＯ２が好ましく、ＳｉＯ、Ｔａ２Ｏ５、ＴｉＯ２、Ｙ２Ｏ３、ＺｎＳｅ、ＺｎＳ、ＺｒＯ２が特に好ましい。
【００３８】
低屈折率の誘電体薄膜の材料としては、例えば、Ａｌ２Ｏ３、ＢｉＦ３、ＣａＦ２、ＬａＦ３、ＰｂＣｌ２、ＰｂＦ２、ＬｉＦ、ＭｇＦ２、ＭｇＯ、ＮｄＦ３、ＳｉＯ２、Ｓｉ２Ｏ３、ＮａＦ、ＴｈＯ２、ＴｈＦ４、などが挙げられる。これらの中でも、Ａｌ２Ｏ３、ＢｉＦ３、ＣａＦ２、ＭｇＦ２、ＭｇＯ、ＳｉＯ２、Ｓｉ２Ｏ３が好ましく、Ａｌ２Ｏ３、ＣａＦ２、ＭｇＦ２、ＭｇＯ、ＳｉＯ２、Ｓｉ２Ｏ３が特に好ましい。
なお、誘電体薄膜の材料においては、原子比についても特に制限はなく、目的に応じて適宜選択することができ、成膜時に雰囲気ガス濃度を変えることにより、原子比を調整することができる。
【００３９】
誘電体薄膜の成膜方法としては、特に制限はなく、目的に応じて適宜選択することができ、例えば、イオンプレーティング、イオンビーム等の真空蒸着法、スパッタリング法等の物理的気相成長法（ＰＶＤ法）、化学的気相成長法（ＣＶＤ法）、などが挙げられる。これらの中でも、真空蒸着法、スパッタリング法が好ましく、スパッタリング法が特に好ましい。
スパッタリング法としては、成膜レートの高いＤＣ（直流）スパッタリング法が好ましい。なお、ＤＣスパッタリング法においては、導電性が高い材料を用いることが好ましい。
【００４０】
薄型偏光子としては、市販品を用いることができ、市販品としては、例えば、ＴＦＰシリーズ（メレスグリオ社製）などが挙げられる。
【００４１】
−（５）複屈折型偏光子−
複屈折型偏光子は、複屈折結晶の光学軸に角度を持って入射することにより出射方向の異なるデバイスであり、光通信に用いられている。複屈折型偏光子としては、例えば、ウォラストンプリズムなどが挙げられる。
ウォラストンプリズムは、方解石のような複屈折性のある結晶を２つ、結晶軸をずらして貼り合せたものである。このプリズムが、光の偏光性に基づく屈折率の差異によって光を分割することができる。
【００４２】
＜λ／４板＞
λ／４板としては、波長６６０ｎｍにおける面内レターデーションが１６５±４０ｎｍであれば特に制限はなく、目的に応じて適宜選択することができる。例えば、延伸されたポリカーボネートフィルム、延伸されたノルボルネン系ポリマーフィルム、炭酸ストロンチウムのような複屈折を有する無機粒子を含有して配向させた透明フィルム、支持体上に無機誘電体を斜め蒸着した薄膜などが挙げられる。
【００４３】
ここで、λ／４板（λ／４機能を有する板）とは、ある特定の波長の直線偏光を円偏光に（または、円偏光を直線偏光に）変換する機能を有する板である。より具体的には、所定の波長λｎｍにおける面内レターデーション値がＲｅ（λ）＝λ／４（または、この奇数倍）を示す板である。すなわち、本発明においては、６６０ｎｍ付近の波長において、上記式が達成されるものである。したがって、本発明におけるλ／４板は、６６０ｎｍ付近の波長の直線偏光を、より高い効率で円偏光に変換することができる。
【００４４】
λ／４板としては、例えば、（１）特開平５−２７１１８号公報、及び特開平５−２７１１９号公報に記載された、レターデーションが大きい複屈折性フィルムと、レターデーションが小さい複屈折性フィルムとを、それらの光軸が直交するように積層させた位相差板、（２）特開平１０−６８８１６号公報に記載された、特定波長においてλ／４波長となっているポリマーフィルムと、それと同一材料からなり同じ波長においてλ／２波長となっているポリマーフィルムとを積層させた位相差板、（２）特開平１０−９０５２１号公報に記載された、二枚のポリマーフィルムを積層することによりλ／４波長を達成できる位相差板、（３）国際公開第２０００／２６７０５号パンフレットに記載された変性ポリカーボネートフィルムを用いたλ／４波長を達成できる位相差板、（４）国際公開第２０００／６５３８４号パンフレットに記載されたセルロースアセテートフィルムを用いたλ／４波長を達成できる位相差板、などが挙げられる。
また、λ／４板は、液晶化合物を用いて形成されたものであってもよい。より具体的には、重合性基を有する液晶化合物を配向させ、硬化させ、配向状態を固定してなるλ／４板であってもよい。
【００４５】
ここで、λ／４板の面内レターデーションの調整方法には限定はない。例えば、配向度合、Δｎ、および、厚さ等を調整することにより、λ／４板の面内レターデーションを調整することができる。
【００４６】
λ／４板１４と反射型直線偏光板１２とは、反射型直線偏光板１２の偏光吸収軸に対してλ／４板１４の遅相軸が４５±１０度となるように貼り合せられることが好ましい。貼り合せ方法としては、例えば、粘着フィルムを用いてロール同士のラミネーションを行う方法、などが挙げられる。
【００４７】
＜発光光源＞
発光光源２６としては、特に制限はなく、目的に応じて適宜選択することができ、例えば、蛍光ランプ、ＬＥＤ、水銀灯等の放電ランプ、タングステンランプ、レーザーライト、有機発光ダイオード（ＯＬＥＤ）ランプ、メタルハライドランプ（メタハラ）、キセノンランプ、などが挙げられる。これらの中でも、効率性の観点からＬＥＤが特に好ましい。
発光によって得られた波長の光をそのまま用いてもよく、蛍光体によって変換された光を用いてもよい。
なお、本発明においては、植物の成長に効率の高い波長を発光するＬＥＤを用いるのが好ましい。具体的には、波長エネルギーのピーク波長が、波長４００ｎｍ〜５００ｎｍの範囲と、波長６００ｎｍ〜７００ｎｍの範囲にある光源を用いるのが好ましく、４６０ｎｍ付近と６６０ｎｍ付近のいずれか又は両方の波長のエネルギーが高い光源を用いることが好ましい。また、例えば、４６０ｎｍ付近の波長のエネルギーが高い光源と、６６０ｎｍ付近の波長のエネルギーが高い光源とを組み合わせて用いてもよい。
【００４８】
＜筐体及び反射部材＞
筐体としては限定はなく、公知の照明装置において光源用の筐体として用いられている筐体が各種利用可能である。
また、反射部材としては限定はなく、公知の照明装置において、筐体の内側に設けられる反射部材が各種利用可能である。
【００４９】
＜その他の部材＞
本発明の照明装置は、その他の部材として、更に必要に応じて、熱線遮蔽層、反射層、熱線透過層、熱伝導性材料、偏光解消抑制壁などを有することができる。
【００５０】
＜用途＞
本発明の照明装置は、高い光量の赤色光の右円偏光成分を照射することで、植物の成長を促進することができると共に、青色光を照射することで、葉の形などの形態に悪影響を与えることを防止できる。
【００５１】
ここで、本発明の照明装置に関するメカニズムについては、以下のように推定している。
植物の花芽形成促進、抑制、成長制御等に関わるフィトクロム、クリプトクロム、フォトトロピン、ＺＴＬ（ZEITLUPE）などの光受容体に含まれる発色団のフィトクロモビン、フラビンは光学活性化合物であるため、光吸収波長領域近傍において円偏光に対する吸収二色性を有する。つまり、光受容体が吸収する光は左右いずれかの円偏光であり、もう一方のセンスの円偏光はそれと比較して吸収されにくいために、これを照射しても光受容体の機能を誘起することが難しい。そのため左右それぞれの円偏光のみの照射する場合、成長が異なる現象が生じるものと推定している。ただ、これらの吸収二色性は実験室レベルでの溶液系で確認できる現象であって、実際には発色団に偏光がいたるまでに細胞内の物質による散乱のため偏光状態がくずされ、前述のような現象は見られないと考えることが一般的である。しかし、驚いたことに、本発明においては、これらが存在する葉又は茎の中においても、照射光の偏光状態に応じて植物の成長が制御可能であることが分かった。
【００５２】
植物の光周性に関わるフィトクロムの場合、６６０ｎｍ付近に吸収極大を有する赤色光吸収型と７５０ｎｍ付近に吸収極大を有する遠赤色光吸収型があり、６６０ｎｍ付近の光照射で赤色光吸収型が遠赤色光吸収型に転換される。一方、７５０ｎｍ付近の光照射で赤遠色光吸収型が赤色光吸収型に転換される。更に、暗状態経時によっても赤遠色光吸収型の赤色光吸収型への転換が進む。これらの反応によって生じた赤遠色光吸収型の量が植物の開花時期を制御している。この反応を人工的に制御することで、例えば菊の栽培で行われているような夜間照明などで開花時期を制御することが可能である。この照明として本発明の照明装置のフィトクロムの吸収波長領域でのみフィトクロムが吸収する右円偏光を照射する光源を用いた場合、電照の効果を落とさずに必要な消費電力押さえることが可能となる。
【００５３】
地球上には、さまざまな植物があり幾種類もの発色団が存在するので植物、制御目的に応じて円偏光波長帯域、センスを変えることが重要である。当然、ある波長では右円偏光を、別な波長帯域では左円偏光をというように別々なセンスの円偏光を同時に照射することが好ましい場合もあり、その目的にも本発明の照明装置は使用することができる。
【００５４】
本発明の照明装置は、休眠、発芽、成苗、細胞伸長期間、花芽分化などの植物の成長過程の時期に応じて偏光変換波長帯域を、成長用フィルムを交換することによって使い分けることができる。また日周の時期に応じて照射のタイミング、又は光強度、偏光状態を調節することもできる。更にパルス的な発光を用いたり、照射する植物の部位に応じて、異なる偏光状態での照射をするなどの使い分けをすることができる。また、植物工場において、本発明の照明装置による光照射と湿度、温度、ガス濃度の制御と組み合わせてもよい。
【００５５】
（植物の成長制御方法）
本発明の照明装置を植物の成長制御方法に応用することができる。
【００５６】
植物の成長制御方法には、植物の成長促進と植物の成長抑制とがある。
植物の成長促進には、草丈、茎長、節間等の伸長による植物体の増大、側枝の長さの増大等を意味する。
植物の成長促進作用により、農作物の重量や丈を早く大きくできるため生産性が上がる。また、大きな農作物を作りやすくなる。また育種において、早く成熟するため、世代交代の回数をかせげるという利点がある。
【００５７】
植物の成長抑制には、草丈、茎長、節間等の伸長の抑制による植物体の矮化、側枝の長さの抑制等を意味する。また、矮化とは、植物の茎、枝が太く、頑丈になり、風、雨等の自然の悪条件に対して強くなるとともに、単位面積当たりの葉緑素、ビタミン等の栄養素量が増加することを意味する。
植物の成長抑制作用により、背丈が低いことは、台風などの風害に強い、穀粒が増えても倒れにくいといった利点がある。例えば、イネの場合、苗を植える列数を増やせるために、単位面積当たりの植苗密度をより大きくすることができる。高さが数メートルになる果樹（バナナ、マンゴなど）、ヤシの木（ナツメヤシ、ココナツなど）に適用すると果実の収穫作業が容易になる。また通常より小さいということは、切花、観葉植物、盆栽植物における商品価値があがる、購買者の興味を引く、などの利点がある。
【００５８】
植物の成長制御方法においては、照射のタイミング調節（日周、成長過程（休眠、発芽、成苗、細胞伸長期間とか））、パルス照明、偏光変換波長帯域を日周、成長過程によって変えることが好ましい。植物及び目的に応じて照射のタイミング調節、パルス照明、偏光変換波長帯域を変える。部分的に照射する。更には、湿度、温度、ガス濃度、照度、照射時間の制御と組み合わせてもよい。
具体的には、日長による花芽形成、回帰反応、葉緑体運動、間隙開放、フラボノイド生合性、植物病害防除（ＵＶを当てて病気に対する耐性を上げる方法）でも片方の効く円偏光照射でＵＶダメージを低減させることができる。
また、光屈曲、遺伝子転写のオン、オフ、遺伝子発現の制御、二次代謝物の制御（栄養成分、芳香成分、うまみ、抗酸化物質、薬効成分）、ストレスを与える、ＤＮＡ光修復性、青色光バイオスイッチなどが挙げられる。
【００５９】
−対象植物−
植物の成長制御方法に用いられる対象植物としては、特に制限はなく、目的に応じて適宜選択することができ、例えば、ウリ科、ナス科、マメ科、バラ科、アブラナ科、キク科、セリ科、アカザ科、イネ科、アオイ科、ウコギ科、シソ科、ショウガ科、スイレン科、サトイモ科の野菜、キク科、バラ科、サトイモ科、ナデシコ科、アブラナ科、イソマツ科、リンドウ科、ボマノハグサ科、マメ科、ボタン科、アヤメ科、ナス科、ヒガンバナ科、ラン科、リュウゼツラン科、ミズキ科、アカネ科、ヤナギ科、ツツジ科、モクセイ科、モクレン科、サクラソウ科、シュウカイドウ科、シソ科、フウロソウ科、ベンケイソウ科、キンポウゲ科、イワタバコ科、サボテン科、シダ類、ウコギ科、クワ科、ツユクサ科、パイナップル科、クズウコン科、トウダイクサ科、コショウ科、タカトウダイ科、ユキノシタ科、アカバナ科、アオイ科、フトモモ科、ツバキ科、オシロイバナ科の切り花類、あるいは鉢物類の花卉、バラ科、ブドウ科、クワ科、カキノキ科、ツツジ科、アケビ科、マタタビ科、トケイソウ科、ミカン科、ウルシ科、パイナップル科、フトモモ科の果樹、藻類などが挙げられる。
【００６０】
更に詳しく例示すると、キュウリ、メロン、カボチャ、ニガウリ、ズッキーニ、スイカ、シロウリ、トウガン、ヘチマ、キンシウリ、トマト、ピーマン、トウガラシ、ナス、ペピーノ、シシトウ、エンドウ、インゲンマメ、ササゲ、エダマメ、ソラマメ、シカクマメ、サヤエンンドウ、サヤインゲン、フジマメ、イチゴ、トウモロコシ、オクラ、ブロッコリー、カイワレダイコン、クレソン、コマツナ、ツケナ、レタス、フキ、シュンギク、食用ギク、セルリー、パセリー、ミツバ、セリ、ネギ、ワケギ、ニラ、アスパラガス、ホウレンソウ、オカヒジキ、ウド、シソ、ショウガ、ダイコン、カブ、ワサビ、ラディシュ、ルタバカ、コカブ、ニンニク、ラッキョウ、レンコン、サトイモ等の野菜；アスター、ローダンセ、アザミ、ナデシコ、ストック、ハナナ、スターチス、トルコキキョウ、キンギョソウ、スィートピー、ハナショウブ、キク、リアトリス、ガーベラ、マーガレット、ミヤコワスレ、シャスターデージー、カーネーション、シュツコンカスミソウ、リンドウ、シャクヤク、ホウズキ、リオン、ダリア、カラー、グラジオラス、アイリス、フリージア、チューリップ、スイセン、アマリリス、シンビジューム、ドラセナ、バラ、ボケ、サクラ、モモ、ウメ、コデマリ、キイチゴ、ナナカマド、ミズキ、サンシュ、サンダンカ、ブルバディア、ヤナギ、ツツジ類、レンギョウ、モクレン、シラネリア、ディモルホセカ、プリムラ、ペチュニア、ベゴニア、リンドウ、コリウス、ゼラニュウム、ペラルゴニューム、ロケヤ、アンスリューム、クレマチス、スズラン、セントポーリア、シクラメン、ラナンキュラス、グロキシニア、デンドロビューム、カトレア、ファレノプシス、バンダ、エビデンドラム、オンシジウム、シャコバサボテン、カニバサボテン、クジャクサボテン、カランコエ、ネフロレピス、アジアンタム、タニワタリ、ポトス、ディフェンバキヤ、スパティフラム、シンゴニューム、オリヅルラン、シエフレラ、ヘデラ、ゴムノキ、ドラセナ、コルジリネ、ブライダルベール、アナナス類、カラテヤ、クロトン、ペペロミヤ、ポインセチア、ハイドランジア、フクシア、ハイビスカス、ガーデニア、ギョリュウバイ、ツバキ、ブーゲンビレア、ボタン等の花卉；ニホンナシ、モモ、オウトウ、スモモ、リンゴ、プルーン、ネクタリン、アンズ、ラズベリー、ウメ、ブドウ、イチジク、カキ、ブルーベリー、アケビ、キウィフルーツ、パッションフルーツ、ビワ、ウンシュウミカン、マーコレット、レモン、ユズ、仏手柑、ハッサク、ブンタン、花ユズ、キンカン、セミノール、イヨカン、ネーブルオレンジ、アンコール、ノバ、日向夏、ライム、スダチ、カボス、晩白柚、タンカン、マンゴー、パインアップル、グアバ等の果樹；又は藻類などが挙げられる。
これらの中でも、葉物野菜、アブラナ科ツケナ類のコマツナ（小松菜）が特に好ましい。
【００６１】
以上、本発明の植物成長用積層フィルム及び植物成長用照明装置について詳細に説明したが、本発明は上述の例に限定はされず、本発明の要旨を逸脱しない範囲において、各種の改良や変更を行ってもよいのは、もちろんである。
【実施例】
【００６２】
以下に実施例を挙げて本発明の特徴をさらに具体的に説明する。以下の実施例に示す材料、試薬、使用量、物質量、割合、処理内容、処理手順等は、本発明の趣旨を逸脱しない限り適宜変更することができる。したがって、本発明の範囲は以下に示す具体例により限定的に解釈されるべきものではない。【００６３】
［実施例１］
実施例１として、図２に示すような照明装置２０を作製した。【００６４】
（反射型直線偏光板）
反射型直線偏光板としては、高分子多層膜構造を有する反射偏光子を用いた。
この反射型直線偏光板の反射効率が最も高くなる波長は、６６０ｎｍである。【００６５】
（λ／４板）
λ／４板としては、市販のエドモンド社製：ポリマー位相差フィルム#88-252を用いた。
このλ／４板の６６０ｎｍにおける面内レタデーションを測定したところ、１５０ｎｍであった。【００６６】
（植物成長用積層フィルム）
反射型直線偏光板と、λ／４板とを、偏光子の透過軸とλ／４板の遅相軸が４５度になるように貼り合わせて、植物成長用積層フィルムを作製した。【００６７】
（植物成長用照明装置）
発光光源（ならびに筐体及び反射部材）として市販の拡散反射板付き白色ＬＥＤランプ（Ｂｅａｕｔｉｆｕｌ  Ｌｉｇｈｔ  Ｔｅｃｈｎｏｌｏｇｙ  Ｃｏｒｐｏｒａｔｉｏｎ製、ＰＡＲ３０）を用いて、この白色ＬＥＤランプの放射面に植物成長用積層フィルムを配置して植物成長用照明装置を作製した。
なお、植物成長用積層フィルムの反射型直線偏光板側を白色ＬＥＤランプの放射面に対面させて配置した。
白色ＬＥＤランプの赤色領域におけるピーク波長は６６０ｎｍであり、青色領域におけるピーク波長は４６０ｎｍであった。【００６８】
［実施例２〜４、比較例１〜２］
反射型直線偏光板の反射効率が最も高くなる波長、λ／４板の６６０ｎｍにおける面内レタデーション、偏光子の透過軸とλ／４板の遅相軸のなす角度をそれぞれ表１に示すように変更した以外は、実施例１と同様にして植物成長用照明装置を作製した。
なお、表１において、反射型直線偏光板の反射効率が最も高くなる波長を「偏光板ピーク波長」と表し、λ／４板の面内レタデーションを「波長板レタデーション」と表し、偏光子の透過軸とλ／４板の遅相軸のなす角度を「遅相軸の角度」と表す。【００６９】
＜評価＞
作製した実施例及び比較例の照明装置について、出射光の円偏光度及び植物の成長促進効果を評価した。【００７０】
（円偏光度）
照明装置から出射された光の各波長ごとの偏光状態を、ＡＸＯＭＥＴＲＩＣＳ社製の偏光位相差解析装置ＡｘｏＳｃａｎを用いて測定した。
出射光の波長６６０ｎｍにおける円偏光度、及び、波長４５０ｎｍにおける円偏光度とを表１に示す。【００７１】
（植物成長促進効果）
作製した各照明装置を用い、照明装置からの出射光を３８日間連続照射して小松菜を栽培し、その後、小松菜の重量を測定し、照射前から増加した重量を求め、下記基準で成長促進効果の評価を行った。結果を表１に示す。
比較例１での植物の重量増加に対して、２０％以上の重量増加を示した場合を「成長促進効果あり」、０％以上２０％未満の重量増加を示した場合を「成長促進効果なし」と評価した。【００７２】
【表１】
0006663500.tif 000002
【００７３】
表１に示すように、本発明である実施例１〜４の照明装置を用いた場合には、植物の成長促進効果が高くなっていることがわかる。
以上より本発明の効果は明らかである。
【符号の説明】
【００７４】
１０  植物成長用積層フィルム
１２  反射型直線偏光板
１４  λ／４板
２０  植物成長用照明装置
２２  筐体
２４  反射部材
２６  発光光源
【図１】
0006663500.tif 000003
【図２】
0006663500.tif 000004